(57)【特許請求の範囲】
【請求項１】
可視光吸収基材の表面に設けられるフルカラーＬＥＤ部及び白色ＬＥＤ部の点灯が制御され、
第１の前記フルカラーＬＥＤ部と、第２の前記フルカラーＬＥＤ部とが間隔を開けて配置され、
前記第１のフルカラーＬＥＤ部の付近で且つ前記第２のフルカラーＬＥＤ部の付近に、双方から離間して前記白色ＬＥＤ部が配置され、
前記白色ＬＥＤ部の光度が、前記フルカラーＬＥＤ部の白色光点灯時の光度よりも大きく設定されていることを特徴とするＬＥＤ電飾装置。
【請求項２】
前記白色ＬＥＤ部から前記第１のフルカラーＬＥＤ部までの距離と、前記白色ＬＥＤ部から前記第２のフルカラーＬＥＤ部までの距離が、略等距離に設定されていることを特徴とする請求項１記載のＬＥＤ電飾装置。
【請求項３】
前記可視光吸収基材の表面における前記白色ＬＥＤ部の占有面積が、前記第１のフルカラーＬＥＤ部の占有面積と前記第２のフルカラーＬＥＤ部の占有面積のいずれよりも小さく設定されていることを特徴とする請求項１又は２記載のＬＥＤ電飾装置。
【請求項４】
前記白色ＬＥＤ部の光度が、前記フルカラーＬＥＤ部の白色光点灯時の光度よりも２倍以上に設定されていることを特徴とする請求項１〜３の何れかに記載のＬＥＤ電飾装置。
【請求項５】
前記フルカラーＬＥＤ部が任意個数のフルカラーＬＥＤで構成され、前記白色ＬＥＤ部が任意個数の白色ＬＥＤで構成されていることを特徴とする請求項１〜４の何れかに記載のＬＥＤ電飾装置。
【請求項６】
前記第１のフルカラーＬＥＤ部と前記白色ＬＥＤ部と前記第２のフルカラーＬＥＤ部の配置関係の組が、略線状に若しくは略周状に複数組で、前記可視光吸収基材の表面に並置され、
並置された前記フルカラーＬＥＤ部、若しくは並置された前記白色ＬＥＤ部、若しくはこれらの双方が、並置方向の順番に点灯及び消灯されることを特徴とする請求項１〜５の何れかに記載のＬＥＤ電飾装置。
【請求項７】
前記フルカラーＬＥＤ部と前記白色ＬＥＤ部のそれぞれが外部からの調光信号で個別に調光制御されることを特徴とする請求項１〜６の何れかに記載のＬＥＤ電飾装置。
【請求項８】
前記白色ＬＥＤ部の点灯時点及びその点灯の消灯時点と、前記第１のフルカラーＬＥＤ部若しくは前記第２のフルカラーＬＥＤ部の点灯時点及びその点灯の消灯時点をそれぞれ０．１秒以上ずらすと共に、
前記白色ＬＥＤ部の前記点灯の持続時間を１０秒以内、前記第１のフルカラーＬＥＤ部若しくは前記第２のフルカラーＬＥＤ部の前記点灯の持続時間を１０秒以内とし、
前記白色ＬＥＤ部の前記点灯を前記フルカラーＬＥＤ部の白色光点灯時の光度の２倍以上の光度で行うように調光制御されることを特徴とする請求項７記載のＬＥＤ電飾装置。
【請求項９】
前記第１のフルカラーＬＥＤ部若しくは前記第２のフルカラーＬＥＤ部を光度の変化率が１秒当たり５０％以内の状態で０．５秒以上持続して発光させた後に、前記第１のフルカラーＬＥＤ部若しくは前記第２のフルカラーＬＥＤ部の付近の白色ＬＥＤ部を光度の変化率が１秒当たり１００％以上の状態で発光させるように調光制御されることを特徴とする請求項７又は８記載のＬＥＤ電飾装置。
【発明の詳細な説明】
【技術分野】
【０００１】
本発明は、演出用途に適するＬＥＤ（発光ダイオード）を光源とするＬＥＤ電飾装置に関する。
【背景技術】
【０００２】
従来、演出に用いることが可能なＬＥＤを光源とする装置として特許文献１の照明装置がある。特許文献１の照明装置は、鉄道車両の室内灯に適する照明装置であり、白色ＬＥＤの主照明光源と、任意の発光色に調整可能なフルカラーＬＥＤの副照明光源とが同一直線上で交互に並べて配置されている。そして、主照明光源及び副照明光源の点灯を制御する制御部が、主照明光源の通常使用時の点灯に加えて、副照明光源を主照明光源と同じ発光色で点灯させる高照度モードや、主照明光源の点灯に加えて、副照明光源を各種情報に応じて任意の発光色に点灯させる演出モードで制御するようになっている。
【先行技術文献】
【特許文献】
【０００３】
【特許文献１】特開２０２１−５５１０号公報
【発明の概要】
【発明が解決しようとする課題】
【０００４】
ところで、特許文献１の照明装置は、通常時は白色ＬＥＤの主照明光源によって室内を照らす照明灯として用いられ、適時に補足的な演出モードの制御を行うことにより、白色ＬＥＤの主照明光源に加えてフルカラーＬＥＤの副照明光源を暖色系や寒色系で発光させ、鉄道車両内の雰囲気を変える演出的な照明を行うものである。しかしながら、この照明装置では、眩い煌めきを有する発光状態を生起させ、高度な演出性を実現することは困難である。
【０００５】
本発明は上記課題に鑑み提案するものであって、眩い煌めきを有する発光状態を生起させ、高度な演出性を実現することができるＬＥＤ電飾装置を提供することを目的とする。
【課題を解決するための手段】
【０００６】
本発明のＬＥＤ電飾装置は、可視光吸収基材の表面に設けられるフルカラーＬＥＤ部及び白色ＬＥＤ部の点灯が制御され、第１の前記フルカラーＬＥＤ部と、第２の前記フルカラーＬＥＤ部とが間隔を開けて配置され、前記第１のフルカラーＬＥＤ部の付近で且つ前記第２のフルカラーＬＥＤ部の付近に、双方から離間して前記白色ＬＥＤ部が配置され、前記白色ＬＥＤ部の光度が、前記フルカラーＬＥＤ部の白色光点灯時の光度よりも大きく設定されていることを特徴とする。
これによれば、第１、第２のフルカラーＬＥＤ部の付近に配置され、フルカラーＬＥＤ部の白色光点灯時よりも光度が大きい白色ＬＥＤ部が発光する白色光と、フルカラーＬＥＤ部の発光により、眩い煌めきを有する発光状態を生起させ、この発光状態により高度な演出性を実現することができる。即ち、ＬＥＤ光の電飾分野においては、暗環境でのイルミネーションでイメージされる、キラキラと鮮やかに強く輝く、煌めく光が非常に効果的であり、上記構成により、このような眩い煌めきの発光状態を得ることができる。また、ＬＥＤ電飾装置は、照明装置と異なり、スタジオ、舞台、屋外等で消灯時の全体の外観や点灯時の発光部以外の領域をなるべく目立たなくし、点灯時の発光部とその周囲のコントラストを高めることが重要となるが、フルカラーＬＥＤ部と白色ＬＥＤ部を可視光吸収基材の表面に設けることにより、点灯時のフルカラーＬＥＤ部とその周囲や、点灯時の白色ＬＥＤ部とその周囲のコントラストを高め、高コントラストの美しい発光状態や景観を得ることができる。また、白色ＬＥＤ部は、より省電力で高い光度を得られる白色ＬＥＤで構成できるので、ＬＥＤ電飾装置における電力消費量を抑制し、発熱量の低減、放熱構造の複雑化や高コスト化の抑制を図ることができる。
【０００７】
本発明のＬＥＤ電飾装置は、前記白色ＬＥＤ部から前記第１のフルカラーＬＥＤ部までの距離と、前記白色ＬＥＤ部から前記第２のフルカラーＬＥＤ部までの距離が、略等距離に設定されていることを特徴とする。
これによれば、第１のフルカラーＬＥＤ部の発光と白色ＬＥＤ部の発光とのコントラスト効果と、第２のフルカラーＬＥＤ部の発光と白色ＬＥＤ部の発光とのコントラスト効果をほぼ同様に揃えることができ、よりバランスの良い煌めきを有する発光状態を得ることができる。
【０００８】
本発明のＬＥＤ電飾装置は、前記可視光吸収基材の表面における前記白色ＬＥＤ部の占有面積が、前記第１のフルカラーＬＥＤ部の占有面積と前記第２のフルカラーＬＥＤ部の占有面積のいずれよりも小さく設定されていることを特徴とする。
これによれば、同一の光量でも発光面積が小さい方が明るく感じられる心理的効果を利用し、白色ＬＥＤ部の占有面積を小さくすることにより、白色ＬＥＤ部の白色光の見かけ上の光度を高め、より眩い煌めき効果を得ることができる。
また、ＬＥＤ電飾装置は、照明装置と異なり、通常は発光部が直接視認できる構造であり、スタジオ、舞台、屋外等で消灯時に発光部をなるべく目立たなくすることが求められるが、白色ＬＥＤ部の占有面積を小さくすることにより、消灯時における白色ＬＥＤ部の存在をより目立たなくすることができる。
【０００９】
本発明のＬＥＤ電飾装置は、前記白色ＬＥＤ部の光度が、前記フルカラーＬＥＤ部の白色光点灯時の光度よりも２倍以上に設定されていることを特徴とする。
これによれば、白色ＬＥＤ部が発光する白色光と、フルカラーＬＥＤ部の発光により、より眩い煌めきを有する発光状態を生起させ、この発光状態により非常に高度な演出性を実現することができる。
【００１０】
本発明のＬＥＤ電飾装置は、前記フルカラーＬＥＤ部が任意個数のフルカラーＬＥＤで構成され、前記白色ＬＥＤ部が任意個数の白色ＬＥＤで構成されていることを特徴とする。
これによれば、必要に応じて、フルカラーＬＥＤ部の光度や占有面積、白色ＬＥＤ部の光度や占有面積を容易に調整して設定することができる。
【００１１】
本発明のＬＥＤ電飾装置は、前記第１のフルカラーＬＥＤ部と前記白色ＬＥＤ部と前記第２のフルカラーＬＥＤ部の配置関係の組が、略線状に若しくは略周状に複数組で、前記可視光吸収基材の表面に並置され、並置された前記フルカラーＬＥＤ部、若しくは並置された前記白色ＬＥＤ部、若しくはこれらの双方が、並置方向の順番に点灯及び消灯されることを特徴とする。
これによれば、フルカラーＬＥＤ部の点灯及び消灯や、白色ＬＥＤ部の点灯及び消灯について、並置方向の順番に時間差をつけて動的に動作させることができ、よりダイナミックな煌めきを有する発光状態を生起させ、非常に高度な演出性を実現することができる。
【００１２】
本発明のＬＥＤ電飾装置は、前記フルカラーＬＥＤ部と前記白色ＬＥＤ部のそれぞれが外部からの調光信号で個別に調光制御されることを特徴とする。
これによれば、フルカラーＬＥＤ部と白色ＬＥＤ部を個別に調光制御することにより、より複雑な煌めきを有する発光状態を生起させ、非常に高度な演出性を実現することができる。
【００１３】
本発明のＬＥＤ電飾装置は、前記白色ＬＥＤ部の点灯時点及びその点灯の消灯時点と、前記第１のフルカラーＬＥＤ部若しくは前記第２のフルカラーＬＥＤ部の点灯時点及びその点灯の消灯時点をそれぞれ０．１秒以上ずらすと共に、前記白色ＬＥＤ部の前記点灯の持続時間を１０秒以内、前記第１のフルカラーＬＥＤ部若しくは前記第２のフルカラーＬＥＤ部の前記点灯の持続時間を１０秒以内とし、前記白色ＬＥＤ部の前記点灯を前記フルカラーＬＥＤ部の白色光点灯時の光度の２倍以上の光度で行うように調光制御されることを特徴とする。また、本発明のＬＥＤ電飾装置は、前記第１のフルカラーＬＥＤ部若しくは前記第２のフルカラーＬＥＤ部を光度の変化率が１秒当たり５０％以内の状態で０．５秒以上持続して発光させた後に、前記第１のフルカラーＬＥＤ部若しくは前記第２のフルカラーＬＥＤ部の付近の白色ＬＥＤ部を光度の変化率が１秒当たり１００％以上の状態で発光させるように調光制御されることを特徴とする。
これによれば、非常に眩い煌めき効果を得ることができ、非常に高度な演出性を実現することができる。
【発明の効果】
【００１４】
本発明のＬＥＤ電飾装置によれば、眩い煌めきを有する発光状態を生起させ、高度な演出性を実現することができる。
【図面の簡単な説明】
【００１５】
【図１】本発明による第１実施形態のＬＥＤ電飾装置の模式図。
【図２】第１実施形態のＬＥＤ電飾装置による発光状態の光度分布を説明する説明図。
【図３】本発明による第２実施形態のＬＥＤ電飾装置の模式図。
【図４】本発明による第３実施形態のＬＥＤ電飾装置の模式図。
【図５】第１実施形態の変形例のＬＥＤ電飾装置の模式図。
【図６】第２実施形態の変形例のＬＥＤ電飾装置における基材表面の模式図。変形例のＬＥＤ電飾装置の模式図。
【発明を実施するための形態】
【００１６】
〔第１実施形態のＬＥＤ電飾装置〕
本発明による第１実施形態のＬＥＤ電飾装置１は、図１に示すように、可視光吸収基材２と、可視光吸収基材２の表面に設けられるフルカラーＬＥＤ部を構成するフルカラーＬＥＤ３と、可視光吸収基材２の表面に設けられる白色ＬＥＤ部を構成する白色ＬＥＤ４とを備えると共に、フルカラーＬＥＤ３及び白色ＬＥＤ４の点灯を制御する駆動制御部５が筐体６に内装されている。各々のフルカラーＬＥＤ３と、各々の白色ＬＥＤ４は、筐体６内の駆動制御部５と駆動線７でそれぞれ電気的に接続されている。
【００１７】
可視光吸収基材２は、少なくともフルカラーＬＥＤ３及び白色ＬＥＤ４が設置される表面が可視光を吸収する機能を有する基材であり、好適には表面或いは全体が黒色の基材とするが、表面或いは全体が灰色、又は黒色や灰色に近い色等の基材とすることも可能である。可視光吸収基材２におけるフルカラーＬＥＤ３及び白色ＬＥＤ４が設置される表面は、マンセル明度：７以下、より好ましくはマンセル明度：５以下とするとよい。また、可視光吸収基材２は、例えば一般的なプリント基板のような硬質樹脂等の剛性を有する基材、屈曲性若しくは湾曲性を有する基材、或いは布等の柔らかい基材とすることが可能である。図示例の可視光吸収基材２は、細長矩形の形状で形成され、細長板状になっており、フルカラーＬＥＤ３の光軸と、白色ＬＥＤ４の光軸は、可視光吸収基材２の表面に対する法線方向に向けられている。
【００１８】
可視光吸収基材２の表面に設けられる複数のフルカラーＬＥＤ３は、相互に間隔を開けて配置され、図示例では直線状に略等間隔を開けてフルカラーＬＥＤ３が並置されている。即ち、並置された複数のフルカラーＬＥＤ３のうちの任意のフルカラーＬＥＤ３を第１のフルカラーＬＥＤ部とした場合、このフルカラーＬＥＤ３の隣に位置するフルカラーＬＥＤ３が第２のフルカラーＬＥＤ部に相当し、第１のフルカラーＬＥＤ部と第２のフルカラーＬＥＤ部とが間隔を開けて配置された構成になっている。
【００１９】
可視光吸収基材２の表面に設けられる複数の白色ＬＥＤ４のうち、フルカラーＬＥＤ３の並置方向におけるフルカラーＬＥＤ３・３の相互間に設けられる白色ＬＥＤ４は、この相互関係を構成する一方のフルカラーＬＥＤ３の付近で且つ他方のフルカラーＬＥＤ３の付近に、一方と他方のフルカラーＬＥＤ３の双方から離間して配置されており、更に、この白色ＬＥＤ４から一方のフルカラーＬＥＤ３までの距離と、この白色ＬＥＤ４から他方のフルカラーＬＥＤ３までの距離が、略等距離に設定されている。即ち、この相互間に設けられる白色ＬＥＤ部を構成する白色ＬＥＤ４は、第１のフルカラーＬＥＤ部の付近で且つ第２のフルカラーＬＥＤ部の付近に、双方から離間して配置されており、更に、第１のフルカラーＬＥＤ部までの距離と、第２のフルカラーＬＥＤ部までの距離が、略等距離に設定されている。
【００２０】
そして、図示例では、複数のフルカラーＬＥＤ３と、複数の白色ＬＥＤ４とが、細長板状の可視光吸収基材２の長手方向に沿って、交互に間隔を開けて直線状に配置されており、フルカラーＬＥＤ３と白色ＬＥＤ４との間の距離は、それぞれ略等距離に設定されている。換言すれば、フルカラーＬＥＤ３で構成される第１のフルカラーＬＥＤ部と、白色ＬＥＤ４で構成される白色ＬＥＤ部と、フルカラーＬＥＤ３で構成される第２のフルカラーＬＥＤ部の配置関係の組が、略線状である直線状に複数組で、可視光吸収基材２の表面に並置されている。
【００２１】
また、白色ＬＥＤ４で構成される白色ＬＥＤ部の光度は、フルカラーＬＥＤ３で構成されるフルカラーＬＥＤ部の白色光点灯時の光度よりも大きく設定されており、好適には、白色ＬＥＤ４で構成される白色ＬＥＤ部の光度は、フルカラーＬＥＤ３で構成されるフルカラーＬＥＤ部の白色光点灯時の光度よりも２倍以上に設定される。尚、ここで設定されている光度は、ＬＥＤの定格使用時における中心光度である。
【００２２】
更に、可視光吸収基材２の表面における白色ＬＥＤ部の占有面積は、第１のフルカラーＬＥＤ部の占有面積と第２のフルカラーＬＥＤ部の占有面積のいずれよりも小さく設定されており、本実施形態では、白色ＬＥＤ部４を構成する単数の白色ＬＥＤ４の占有面積が、付近に配置された第１のフルカラーＬＥＤ部を構成する単数のフルカラーＬＥＤ３の占有面積と、付近に配置された第２のフルカラーＬＥＤ部を構成する単数のフルカラーＬＥＤ３の占有面積のいずれよりも小さく設定されている。
【００２３】
駆動制御部５は、例えばＤＭＸ信号のアドレスを認識する演算処理部や、各々のフルカラーＬＥＤ３に対応するアドレスや各々の白色ＬＥＤ４に対応するアドレスや制御プログラムを記憶保持する記憶部を有するマイクロコンピュータ等で構成され、ＬＥＤ電飾装置１の外部にある調光コントローラ８から信号線８１を介してＤＭＸ信号等の調光信号が入力されると共に、外部電源９から電源供給線９１を介して電力が供給される。駆動制御部２２は、外部の調光コントローラ８から送信される調光信号に応じて、対応するフルカラーＬＥＤ部を構成する対応するフルカラーＬＥＤ３の点灯及び消灯を個別に調光制御すると共に、対応する白色ＬＥＤ部を構成する対応する白色ＬＥＤ４の点灯及び消灯を個別に調光制御するようになっており、調光信号に応じた時系列的な順番と点灯時間でフルカラーＬＥＤ３や白色ＬＥＤ４を駆動線７を介して駆動制御、調光制御する。
【００２４】
この各フルカラーＬＥＤ部を構成するフルカラーＬＥＤ３の個別の調光制御と、各白色ＬＥＤ部を構成する白色ＬＥＤ４の個別の調光制御により、例えば白色ＬＥＤ４を所定の発光パターンで発光させた状態で、並置されたフルカラーＬＥＤ３を並置方向の順番に点灯及び消灯する調光制御、或いは、フルカラーＬＥＤ３を所定の発光パターンで発光させた状態で、並置された白色ＬＥＤ４を並置方向の順番に点灯及び消灯する調光制御、或いは並置されたフルカラーＬＥＤ３と並置された白色ＬＥＤ４の双方を並置方向の順番に点灯及び消灯する調光制御等のような、演出性、装飾性に優れる動的な煌めきが得られる調光を行うことができる。
【００２５】
図２に第１実施形態のＬＥＤ電飾装置１による発光状態の光度分布のイメージを示す。ＬＥＤ電飾装置１のフルカラーＬＥＤ３と白色ＬＥＤ４を全点灯した場合の光度分布は実線で示され、白色ＬＥＤ４を無くしてフルカラーＬＥＤ３だけで全点灯した場合の光度分布は点線で示されている。ＬＥＤ電飾装置１では、フルカラーＬＥＤ３・３相互間の白色ＬＥＤ４で非常に高い光度の白色光を発光させることで、眩い煌めきを生起し、演出性や電飾性に優れる発光状態を得ることができる。尚、ＬＥＤ電飾装置１は、特定の部分空間の全体を明るくする通常の照明装置とは異なる非照明装置であり、通常の照明装置では抑制される高い光度の局所的な発光、詳細には高い光度の白色ＬＥＤ４による局所的な発光を積極的に視認可能に活用し、煌めき効果を得るものである。
【００２６】
第１実施形態のＬＥＤ電飾装置１によれば、第１、第２のフルカラーＬＥＤ部の付近に配置され、フルカラーＬＥＤ３で構成されるフルカラーＬＥＤ部の白色光点灯時よりも光度が大きい白色ＬＥＤ４で構成される白色ＬＥＤ部が発光する白色光と、フルカラーＬＥＤ部の発光により、眩い煌めきを有する発光状態を生起させ、この発光状態により高度な演出性を実現することができる。即ち、ＬＥＤ光の電飾分野においては、暗環境でのイルミネーションでイメージされる、キラキラと鮮やかに強く輝く、煌めく光が非常に効果的であり、上記構成により、このような眩い煌めきの発光状態を得ることができる。より好ましくは、白色ＬＥＤ部の光度を、フルカラーＬＥＤ部の白色光点灯時の光度よりも２倍以上に設定することにより、より眩い煌めきを有する発光状態を生起させ、この発光状態により非常に高度な演出性を実現することができる。
【００２７】
また、ＬＥＤ電飾装置１は、照明装置と異なり、スタジオ、舞台、屋外等で消灯時の全体の外観や点灯時の発光部以外の領域をなるべく目立たなくし、点灯時の発光部とその周囲のコントラストを高めることが重要となるが、フルカラーＬＥＤ３で構成されるフルカラーＬＥＤ部と白色ＬＥＤ４で構成される白色ＬＥＤ部を可視光吸収基材２の表面に設けることにより、点灯時のフルカラーＬＥＤ部とその周囲や、点灯時の白色ＬＥＤ部とその周囲のコントラストを高め、高コントラストの美しい発光状態や景観を得ることができる。また、白色ＬＥＤ部は、より省電力で高い光度を得られる白色ＬＥＤ４で構成できるので、ＬＥＤ電飾装置１における電力消費量を抑制し、発熱量の低減、放熱構造の複雑化や高コスト化の抑制を図ることができる。
【００２８】
また、白色ＬＥＤ部から第１のフルカラーＬＥＤ部までの距離と、白色ＬＥＤ部から第２のフルカラーＬＥＤ部までの距離を略等距離に設定することにより、第１のフルカラーＬＥＤ部の発光と白色ＬＥＤ部の発光とのコントラスト効果と、第２のフルカラーＬＥＤ部の発光と白色ＬＥＤ部の発光とのコントラスト効果をほぼ同様に揃えることができ、よりバランスの良い煌めきを有する発光状態を得ることができる。
【００２９】
また、可視光吸収基材２の表面における白色ＬＥＤ部の占有面積を、第１のフルカラーＬＥＤ部の占有面積と第２のフルカラーＬＥＤ部の占有面積のいずれよりも小さく設定することにより、同一の光量でも発光面積が小さい方が明るく感じられる心理的効果を利用し、白色ＬＥＤ部の白色光の見かけ上の光度を高め、より眩い煌めき効果を得ることができる。また、ＬＥＤ電飾装置１は、照明装置と異なり、通常は発光部が直接視認できる構造であり、スタジオ、舞台、屋外等で消灯時に発光部をなるべく目立たなくすることが求められるが、白色ＬＥＤ４で構成される白色ＬＥＤ部の占有面積を小さくすることにより、消灯時における白色ＬＥＤ部の存在をより目立たなくすることができる。尚、白色ＬＥＤ４は一般的に発光面が鮮やかな黄色であり、占有面積が大きい場合には存在が目立ちやすい。
【００３０】
また、第１のフルカラーＬＥＤ部と白色ＬＥＤ部と第２のフルカラーＬＥＤ部の配置関係の組を、直線状等の略線状に複数組で、可視光吸収基材２の表面に並置し、並置したフルカラーＬＥＤ部、若しくは並置した白色ＬＥＤ部、若しくはこれらの双方を、並置方向の順番に点灯及び消灯する場合には、フルカラーＬＥＤ部の点灯及び消灯や、白色ＬＥＤ部の点灯及び消灯について、並置方向の順番に時間差をつけて動的に動作させることができ、よりダイナミックな煌めきを有する発光状態を生起させ、非常に高度な演出性を実現することができる。また、フルカラーＬＥＤ部と白色ＬＥＤ部を個別に調光制御することにより、より複雑な煌めきを有する発光状態を生起させ、非常に高度な演出性を実現することができる。
【００３１】
〔第２実施形態のＬＥＤ電飾装置〕
本発明による第２実施形態のＬＥＤ電飾装置１ａは、図３に示すように、可視光吸収基材２ａと、可視光吸収基材２ａの表面に設けられるフルカラーＬＥＤ部を構成するフルカラーＬＥＤ３ａと、可視光吸収基材２ａの表面に設けられる白色ＬＥＤ部を構成する白色ＬＥＤ４ａとを備えると共に、フルカラーＬＥＤ３ａ及び白色ＬＥＤ４ａの点灯を制御する駆動制御部５が筐体６に内装されている。各々のフルカラーＬＥＤ３ａと、各々の白色ＬＥＤ４ａは、筐体６内の駆動制御部５と駆動線７でそれぞれ電気的に接続されている。駆動制御部５、筐体６、駆動線７、調光コントローラ８、外部電源９の構成は第１実施形態と同様である。
【００３２】
可視光吸収基材２ａは、円盤状の形状で形成され、フルカラーＬＥＤ３ａの光軸と、白色ＬＥＤ４ａの光軸は、可視光吸収基材２ａの表面に対する法線方向に向けられている。その他の可視光吸収基材２ａの構成は第１実施形態の可視光吸収基材２と同様である。
【００３３】
可視光吸収基材２ａの表面に設けられる複数のフルカラーＬＥＤ３ａは、相互に間隔を開けて配置され、図示例では円盤状の可視光吸収基材２ａの円周方向に略倣うようにして、略周状に並置されている。図示例では、半径方向に間隔が開いている内周と外周の２周にフルカラーＬＥＤ３ａがそれぞれ略周状に配置されており、外周で並置されているフルカラーＬＥＤ３ａは円周状に略等間隔を開けて並置されている。即ち、並置された複数のフルカラーＬＥＤ３ａのうちの任意のフルカラーＬＥＤ３ａを第１のフルカラーＬＥＤ部とした場合、このフルカラーＬＥＤ３ａの隣に位置するフルカラーＬＥＤ３ａが第２のフルカラーＬＥＤ部に相当し、第１のフルカラーＬＥＤ部と第２のフルカラーＬＥＤ部とが間隔を開けて配置された構成になっている。
【００３４】
可視光吸収基材２ａの表面に設けられる複数の白色ＬＥＤ４ａは、相互に間隔を開けて配置され、図示例では円盤状の可視光吸収基材２ａの円周方向に略倣うようにして、略周状に並置されている。図示例では、半径方向に間隔が開いている内周と外周の２周に白色ＬＥＤ４ａがそれぞれ略周状に配置されており、内周と外周で並置されている白色ＬＥＤ４ａは円周状に略等間隔を開けてそれぞれ並置されている。白色ＬＥＤ４ａが並置されている内周は、フルカラーＬＥＤ３ａが並置されている内周よりも若干半径方向の外側に位置しており、白色ＬＥＤ４ａが並置されている外周は、フルカラーＬＥＤ３ａが並置されている外周よりも若干半径方向の内側に位置している。
【００３５】
可視光吸収基材２ａの表面に設けられる複数の白色ＬＥＤ４ａのうち、内周のフルカラーＬＥＤ３ａの並置方向におけるフルカラーＬＥＤ３ａ・３ａの相互間に対応する位置に設けられ且つ内周に並置されている白色ＬＥＤ４ａ（図示の内周の上側の白色ＬＥＤ４ａと下側の白色ＬＥＤ４ａ）は、この相互関係を構成する一方のフルカラーＬＥＤ３ａの付近で且つ他方のフルカラーＬＥＤ３ａの付近に、一方と他方のフルカラーＬＥＤ３ａの双方から離間して配置されており、更に、この白色ＬＥＤ４ａから一方のフルカラーＬＥＤ３ａまでの距離と、この白色ＬＥＤ４ａから他方のフルカラーＬＥＤ３ａまでの距離が、略等距離に設定されている。即ち、この相互間に設けられる白色ＬＥＤ部を構成する白色ＬＥＤ４ａは、第１のフルカラーＬＥＤ部の付近で且つ第２のフルカラーＬＥＤ部の付近に、双方から離間して配置されており、更に、第１のフルカラーＬＥＤ部までの距離と、第２のフルカラーＬＥＤ部までの距離が、略等距離に設定されている。
【００３６】
また、外周のフルカラーＬＥＤ３ａの並置方向におけるフルカラーＬＥＤ３ａ・３ａの相互間に対応する位置に設けられ且つ外周に並置されている白色ＬＥＤ４ａは、この相互関係を構成する一方のフルカラーＬＥＤ３ａの付近で且つ他方のフルカラーＬＥＤ３ａの付近に、一方と他方のフルカラーＬＥＤ３ａの双方から離間して配置されており、更に、この白色ＬＥＤ４ａから一方のフルカラーＬＥＤ３ａまでの距離と、この白色ＬＥＤ４ａから他方のフルカラーＬＥＤ３ａまでの距離が、略等距離に設定されている。即ち、この相互間に設けられる白色ＬＥＤ部を構成する白色ＬＥＤ４ａも、第１のフルカラーＬＥＤ部の付近で且つ第２のフルカラーＬＥＤ部の付近に、双方から離間して配置されており、更に、第１のフルカラーＬＥＤ部までの距離と、第２のフルカラーＬＥＤ部までの距離が、略等距離に設定されている。
【００３７】
そして、内周と外周のそれぞれにおいて、フルカラーＬＥＤ３ａで構成される第１のフルカラーＬＥＤ部と、白色ＬＥＤ４ａで構成される白色ＬＥＤ部と、フルカラーＬＥＤ３ａで構成される第２のフルカラーＬＥＤ部の配置関係の組が、略周状に複数組で、可視光吸収基材２ａの表面に並置されている。ここでの略周状は、フルカラーＬＥＤ３ａと白色ＬＥＤ４ａが蛇行するように配置された略周状である。
【００３８】
白色ＬＥＤ４ａで構成される白色ＬＥＤ部の光度とフルカラーＬＥＤ３ａで構成されるフルカラーＬＥＤ部の光度の設定は、第１実施形態における白色ＬＥＤ４で構成される白色ＬＥＤ部の光度とフルカラーＬＥＤ３で構成されるフルカラーＬＥＤ部の光度の設定と同様である。また、第１実施形態と同様に、可視光吸収基材２ａの表面における白色ＬＥＤ部の占有面積は、第１のフルカラーＬＥＤ部の占有面積と第２のフルカラーＬＥＤ部の占有面積のいずれよりも小さく設定されており、白色ＬＥＤ部４ａを構成する単数の白色ＬＥＤ４の占有面積が、付近に配置された第１のフルカラーＬＥＤ部を構成する単数のフルカラーＬＥＤ３ａの占有面積と、付近に配置された第２のフルカラーＬＥＤ部を構成する単数のフルカラーＬＥＤ３ａの占有面積のいずれよりも小さく設定されている。
【００３９】
第２実施形態のＬＥＤ電飾装置１ａによれば、第１実施形態と対応する構成から対応する効果を得ることができる。また、円盤状の可視光吸収基材２ａに平面的な広がりをもってフルカラーＬＥＤ３ａと白色ＬＥＤ４ａを配置することにより、平面的な煌めきを有する発光状態を生起し、演出性を高めることができる。
【００４０】
〔第３実施形態のＬＥＤ電飾装置〕
本発明による第３実施形態のＬＥＤ電飾装置１ｂは、図４に示すように、可視光吸収基材２ｂと、可視光吸収基材２ｂの表面に設けられるフルカラーＬＥＤ部を構成するフルカラーＬＥＤ３ｂと、可視光吸収基材２ｂの表面に設けられる白色ＬＥＤ部を構成する白色ＬＥＤ４ｂとを備えると共に、フルカラーＬＥＤ３ｂ及び白色ＬＥＤ４ｂの点灯を制御する駆動制御部５が筐体６に内装されている。各々のフルカラーＬＥＤ３ｂと、各々の白色ＬＥＤ４ｂは、筐体６内の駆動制御部５と駆動線７でそれぞれ電気的に接続されている。駆動制御部５、筐体６、駆動線７、調光コントローラ８、外部電源９の構成は第１実施形態と同様である。
【００４１】
可視光吸収基材２ｂは、略三角形の形状で形成され、フルカラーＬＥＤ３ｂの光軸と、白色ＬＥＤ４ｂの光軸は、可視光吸収基材２ｂの表面に対する法線方向に向けられている。その他の可視光吸収基材２ｂの構成は第１実施形態の可視光吸収基材２と同様である。
【００４２】
可視光吸収基材２ｂの表面に設けられる複数のフルカラーＬＥＤ３ｂは、相互に間隔を開けて配置され、図示例では各々のフルカラーＬＥＤ３ｂが鼎状に相互に略等間隔を開けて配置されている。即ち、任意のフルカラーＬＥＤ３ｂを第１のフルカラーＬＥＤ部とした場合、このフルカラーＬＥＤ３ｂの隣に位置するフルカラーＬＥＤ３ｂが第２のフルカラーＬＥＤ部に相当し、第１のフルカラーＬＥＤ部と第２のフルカラーＬＥＤ部とが略等間隔を開けて配置された構成になっている。
【００４３】
可視光吸収基材２ａの表面に設けられる複数の白色ＬＥＤ４ａは、それぞれ鼎状に配置された３個のフルカラーＬＥＤ３ｂの略中心に位置するように配置されており、３個のフルカラーＬＥＤ３ｂのそれぞれと略等距離の位置に配置されている。即ち、フルカラーＬＥＤ３ｂで構成される第１のフルカラーＬＥＤ部の付近で且つフルカラーＬＥＤ３ｂで構成される第２のフルカラーＬＥＤ部の付近で且つフルカラーＬＥＤ３ｂで構成される第３のフルカラーＬＥＤ部の付近で、第１〜第３のフルカラーＬＥＤ部のいずれから略等距離で離間して白色ＬＥＤ４ｂで構成される白色ＬＥＤ部が配置されている。
【００４４】
白色ＬＥＤ４ｂで構成される白色ＬＥＤ部の光度とフルカラーＬＥＤ３ｂで構成されるフルカラーＬＥＤ部の光度の設定は、第１実施形態における白色ＬＥＤ４で構成される白色ＬＥＤ部の光度とフルカラーＬＥＤ３で構成されるフルカラーＬＥＤ部の光度の設定と同様である。また、第１実施形態と同様に、可視光吸収基材２ｂの表面における白色ＬＥＤ部の占有面積は、第１のフルカラーＬＥＤ部の占有面積と第２のフルカラーＬＥＤ部の占有面積のいずれよりも小さく設定されており、白色ＬＥＤ部４ｂを構成する単数の白色ＬＥＤ４の占有面積が、付近に配置された第１のフルカラーＬＥＤ部を構成する単数のフルカラーＬＥＤ３ｂの占有面積と、付近に配置された第２のフルカラーＬＥＤ部を構成する単数のフルカラーＬＥＤ３ｂの占有面積のいずれよりも小さく設定されている。
【００４５】
第３実施形態のＬＥＤ電飾装置１ｂによれば、第１実施形態と対応する構成から対応する効果を得ることができる。また、略三角形の可視光吸収基材２ｂに平面的な広がりをもってフルカラーＬＥＤ３ｂと白色ＬＥＤ４ｂを配置することにより、平面的な煌めきを有する発光状態を生起し、演出性を高めることができる。
【００４６】
〔本明細書開示発明の包含範囲〕
本明細書開示の発明は、発明として列記した各発明、各実施形態、各例の他に、適用可能な範囲で、これらの部分的な内容を本明細書開示の他の内容に変更して特定したもの、或いはこれらの内容に本明細書開示の他の内容を付加して特定したもの、或いはこれらの部分的な内容を部分的な作用効果が得られる限度で削除して上位概念化して特定したものを包含する。そして、本明細書開示の発明には下記内容や下記の更なる変形例も含まれる。
【００４７】
本発明のＬＥＤ電飾装置において、フルカラーＬＥＤ部を構成するフルカラーＬＥＤの個数と、白色ＬＥＤ部を構成する白色ＬＥＤの個数は、単数個に限定されず、複数個としてもよく、それぞれに任意の個数とすることが可能である。更に、フルカラーＬＥＤ部を構成するフルカラーＬＥＤの個数と、白色ＬＥＤ部を構成する白色ＬＥＤの個数を、異なる個数に設定しても良い。
【００４８】
例えば図５の第１実施形態の変形例のように、２個のフルカラーＬＥＤ３でフルカラーＬＥＤ部と構成し、２個の白色ＬＥＤ４で白色ＬＥＤ部を構成しても良好である。この変形例のＬＥＤ電飾装置１の可視光吸収基材２の表面では、２個のフルカラーＬＥＤ３で構成されるフルカラーＬＥＤ部と、２個の白色ＬＥＤ４で構成される白色ＬＥＤ部が間隔を開けて配置され、第１のフルカラーＬＥＤ部の付近で且つ第２のフルカラーＬＥＤ部の付近に、双方から離間して白色ＬＥＤ部が配置されている領域を備える。
【００４９】
そして、この変形例のＬＥＤ電飾装置１では、２個のフルカラーＬＥＤ３で構成される第１のフルカラーＬＥＤ部と、２個の白色ＬＥＤ４で構成される白色ＬＥＤ部と、２個のフルカラーＬＥＤ３で構成される第２のフルカラーＬＥＤ部の配置関係の組が、略線状に複数組で、可視光吸収基材２の表面に並置されている。ここでの略線状は、フルカラーＬＥＤ部と白色ＬＥＤ部が蛇行するように配置された略線状である。更に、変形例のＬＥＤ電飾装置１では、白色ＬＥＤ部から第１のフルカラーＬＥＤ部までの最短の距離と、白色ＬＥＤ部から第２のフルカラーＬＥＤ部までの最短の距離は、略等距離に設定されている。
【００５０】
また、例えば図６の第２実施形態の変形例における内周（第１周）と外周（第３周）の間の中間周（第２周）のように、３個のフルカラーＬＥＤ３ａでフルカラーＬＥＤ部と構成し、３個の白色ＬＥＤ４ａで白色ＬＥＤ部を構成しても良好である。この変形例のＬＥＤ電飾装置１ａの可視光吸収基材２ａの表面では、３個のフルカラーＬＥＤ３ａで構成されるフルカラーＬＥＤ部と、３個の白色ＬＥＤ４ａで構成される白色ＬＥＤ部が間隔を開けて配置され、第１のフルカラーＬＥＤ部の付近で且つ第２のフルカラーＬＥＤ部の付近に、双方から離間して白色ＬＥＤ部が配置されている領域を備える。
【００５１】
そして、この変形例のＬＥＤ電飾装置１ａでは、３個のフルカラーＬＥＤ３ａで構成される第１のフルカラーＬＥＤ部と、３個の白色ＬＥＤ４ａで構成される白色ＬＥＤ部と、３個のフルカラーＬＥＤ３ａで構成される第２のフルカラーＬＥＤ部の配置関係の組が、略周状に複数組で、可視光吸収基材２ａの表面に並置されている。ここでの略周状は、フルカラーＬＥＤ部と白色ＬＥＤ部が交互に配置された円周状である。更に、変形例のＬＥＤ電飾装置１ａの中間周（第２周）において、白色ＬＥＤ部から第１のフルカラーＬＥＤ部までの最短の距離と、白色ＬＥＤ部から第２のフルカラーＬＥＤ部までの最短の距離は、略等距離に設定されている。
【００５２】
また、本発明のＬＥＤ電飾装置には、第１の前記フルカラーＬＥＤ部と、第２の前記フルカラーＬＥＤ部とが間隔を開けて配置され、第１のフルカラーＬＥＤ部の付近で且つ第２のフルカラーＬＥＤ部の付近に、双方から離間して白色ＬＥＤ部が配置されている領域を有し、この白色ＬＥＤ部の光度が、第１のフルカラーＬＥＤ部と第２のフルカラーＬＥＤ部の白色光点灯時の光度よりも大きく設定されている適宜の電飾装置が含まれ、これ以外の領域において、フルカラーＬＥＤ部だけが間隔を開けて設けられているＬＥＤ電飾装置も含まれる。また、本発明のＬＥＤ電飾装置における視認方向から可視光吸収基材の正面視の形状は適宜であり、例えば六角形、八角形等の多角形、楕円形等としてもよく、又、立体的な曲面形状としてもよく、或いは視認方向から煌めきのある発光状態を認識できれば正面視で複数面が視認される形状とすることも可能である。
【００５３】
また、本発明のＬＥＤ電飾装置におけるフルカラーＬＥＤ部の構成するフルカラーＬＥＤ、白色ＬＥＤ部を構成する白色ＬＥＤの駆動を制御する構成は、第１〜第３実施形態の例に限定されず適宜であり、例えば外部の調光装置から駆動線を介して直接にフルカラーＬＥＤと白色ＬＥＤの駆動を制御するようにしてもよく、又、特定の発光パターンを駆動制御部の記憶部に格納し、記憶された発光パターンでフルカラーＬＥＤと白色ＬＥＤを発光させてもよい。
【００５４】
また、本発明のＬＥＤ電飾装置における白色ＬＥＤ部の点灯時点と、白色ＬＥＤ部の付近の第１のフルカラーＬＥＤ部の点灯時点との時間差、及び白色ＬＥＤ部の点灯時点と、白色ＬＥＤ部の付近の第２のフルカラーＬＥＤ部の点灯時点との時間差は、良好な煌めきの発光状態を得る観点から、０秒〜１０秒の範囲とすることが好ましい。尚、ここでいう０秒は同時発光である。
【００５５】
更に、本発明のＬＥＤ電飾装置における白色ＬＥＤ部の点灯時点と、白色ＬＥＤ部の付近の第１のフルカラーＬＥＤ部の点灯時点との時間差、及び白色ＬＥＤ部の点灯時点と、白色ＬＥＤ部の付近の第２のフルカラーＬＥＤ部の点灯時点との時間差は、０．１秒以上とするとより好適であり、又、白色ＬＥＤ部の消灯時点と、白色ＬＥＤ部の付近の第１のフルカラーＬＥＤ部の消灯時点との時間差、及び白色ＬＥＤ部の消灯時点と、白色ＬＥＤ部の付近の第２のフルカラーＬＥＤ部の消灯時点との時間差は、０．１秒以上とするとより好適である。この０．１秒以上の時間差により、フルカラーＬＥＤ部の光度変化と白色ＬＥＤ部の光度変化を異なるものとして視認者は明確に認識することができる。この際、白色ＬＥＤ部の点灯の持続時間、フルカラーＬＥＤ部の点灯の持続時間は、それぞれ１０秒以内とすると好適であり、より好適には２秒以内とするとよい。また、この場合、白色ＬＥＤ部の点灯をフルカラーＬＥＤ部の白色光点灯時の光度の２倍以上の光度で行うように調光制御すると好適である。
【００５６】
また、本発明のＬＥＤ電飾装置における白色ＬＥＤ部の発光による光度変化に際に、この発光時の前後（好ましくは０．５秒以上１０秒以内、より好ましくは０．５秒以上２秒以内の時間差である時間的前後）において、白色ＬＥＤ部の付近のフルカラーＬＥＤ部を白色ＬＥＤ部の光度変化率よりも小さい光度変化率で発光させると、煌めき効果を強調できて好適である。例えばフルカラーＬＥＤ部の光度に大きな変化がない状態（光度の変化率が１秒当たり５０％以内の状態）を０．５秒以上持続した後に、フルカラーＬＥＤ部の付近の白色ＬＥＤ部の光度を急激に変化させる（光度の変化率が１秒当たり１００％以上の変化、より好ましくは２００％以上の変化）と好適である。これにより、例えば白色ＬＥＤ部の点灯時点の前後において、付近のフルカラーＬＥＤ部の点灯状態の変化を少なくし、白色ＬＥＤ部の発光時の急激な変化を強調し、より眩い煌めき効果を得ることができる。
【００５７】
また、本発明のＬＥＤ電飾装置における白色ＬＥＤ部の光度変化率、又は、白色ＬＥＤ部の光度変化の時間的間隔、又は、白色ＬＥＤ部で変化させる光度、又はこれらの組み合わせは、不規則となるように制御、動作させると、良好な煌めき効果を得られて好適である。
【産業上の利用可能性】
【００５８】
本発明は、特定の部分空間の全体を明るくする通常の照明装置とは異なる非照明用で、演出用途に適するＬＥＤ電飾装置として利用することができる。
【符号の説明】
【００５９】
１、１ａ、１ｂ…ＬＥＤ電飾装置  ２、２ａ、２ｂ…可視光吸収基材  ３、３ａ、３ｂ…フルカラーＬＥＤ  ４、４ａ、４ｂ…白色ＬＥＤ  ５…駆動制御部  ６…筐体  ７…駆動線  ８…調光コントローラ  ８１…信号線  ９…外部電源  ９１…電源供給線
【要約】
【課題】眩い煌めきを有する発光状態を生起させ、高度な演出性を実現することができるＬＥＤ電飾装置を提供する。
【解決手段】可視光吸収基材２の表面に設けられるフルカラーＬＥＤ３及び白色ＬＥＤ４と、フルカラーＬＥＤ３及び白色ＬＥＤ４の点灯を制御する駆動制御部５とを備え、第１のフルカラーＬＥＤ３と、第２のフルカラーＬＥＤ３とが間隔を開けて配置され、第１のフルカラーＬＥＤ３の付近で且つ第２のフルカラーＬＥＤ３の付近に、双方から離間して白色ＬＥＤ部４が配置され、白色ＬＥＤ４の光度が、フルカラーＬＥＤ４の白色光点灯時の光度よりも大きく設定されているＬＥＤ電飾装置１。
【選択図】図１【図１】
0006908951.tif 000002
【図２】
0006908951.tif 000003
【図３】
0006908951.tif 000004
【図４】
0006908951.tif 000005
【図５】
0006908951.tif 000006
【図６】
0006908951.tif 000007